(57)【要約】【課題】複雑な指示を受け付けることが可能なマンマシンインタフェースを搭載しなくても、効率的なデータファイルの管理が可能な表示記憶装置を提供する。【解決手段】制御部１１０は、タッチ式入力部１０２を通じてユーザが描画入力を行った後、大分類や小分類を指定すると、これに基づくファイル名を自動的に付与して、描画入力された情報を画像データとして記憶部１０５に保存し、また保存した画像データを表示させる場合には、ボタン操作により大分類を指定し、スライドポインタ２０４をスライド移動させて小分類を指定することで、対応する画像データを表示するようにしたものである。【選択図】図２
2008243040.tif 000002
【特許請求の範囲】
【請求項１】
データを記憶する記憶手段と、
ユーザから対象データについての分類情報の入力を受け付ける第１受付手段と、
この第１受付手段が受け付けた分類情報に基づくファイル名を生成し、このファイル名を前記対象データのファイル名として付与して前記記憶手段に記録する保存手段と、
情報を表示する表示手段と、
ユーザから分類情報の入力を受け付ける第２受付手段と、
この第２受付手段が受け付けた分類情報に該当するファイル名を有するデータを前記記憶手段から読み出して、前記表示手段に表示させる表示制御手段とを具備することを特徴とする表示記憶装置。
【請求項２】
データを記憶する記憶手段と、
ユーザから対象データについての分類情報の入力を受け付ける第１受付手段と、
この第１受付手段が受け付けた分類情報に基づくファイル名を生成し、このファイル名を前記対象データのファイル名として付与して前記記憶手段に記録する保存手段と、
情報を表示する表示手段と、
前記記憶手段からデータを読み出して、前記表示手段に表示させる表示制御手段とを具備することを特徴とする表示記憶装置。
【請求項３】
さらに、尖筆による描画入力を検出する描画検出手段と、
この描画検出手段により入力された軌跡を画像データに変換する変換手段とを備え、
前記保存手段は、前記第１受付手段が受け付けた分類情報に基づくファイル名を生成し、このファイル名を前記変換手段によって得た画像データのファイル名として付与して前記記憶手段に記録することを特徴とする請求項１または請求項２に記載の表示記憶装置。
【請求項４】
前記表示制御手段は、前記表示手段に、分類情報の入力を受け付けるための表示と、画像データとを併せて表示し、
前記第１受付手段は、前記描画検出手段を通じてユーザから対象データについての分類情報の入力を受け付けることを特徴とする請求項３に記載の表示記憶装置。
【請求項５】
分類情報を含むファイル名が付与されたデータを記憶する記憶手段と、
情報を表示する表示手段と、
ユーザから分類情報の入力を受け付ける受付手段と、
この受付手段が受け付けた分類情報に該当するファイル名を有するデータを前記記憶手段から読み出して、前記表示手段に表示させる表示制御手段とを具備することを特徴とする表示記憶装置。
【請求項６】
さらに、ユーザから選択操作を受け付ける選択操作受付手段を備え、
前記表示制御手段は、前記受付手段が受け付けた分類情報に該当するファイル名を有するデータが複数存在する場合には、前記選択操作受付手段が受け付けた選択操作に応じて、該当する複数のデータを選択的に前記記憶手段から読み出して、前記表示手段に表示させることを特徴とする請求項１または請求項５に記載の表示記憶装置。
【請求項７】
前記表示制御手段は、前記受付手段が受け付けた分類情報に該当するファイル名を有するデータを前記記憶手段から読み出して、前記表示手段に表示させるとともに、この表示させたデータが属する分類を示す情報を表示させることを特徴とする請求項１または請求項５に記載の表示記憶装置。
【発明の詳細な説明】
【技術分野】
【０００１】
この発明は、入力された情報の記憶と表示を行う表示記憶装置に関する。
【背景技術】
【０００２】
周知のように、データファイルの管理方法について、種々の手法が考案されている（例えば、特許文献１参照）。しかしながら、これらの管理方法は、オペレータから複雑な指示を受け付けることが可能なマンマシンインタフェースを備えることを前提としており、携帯型の情報機器においては、その大きさから搭載できるインタフェースが限られているため、従来から考案されていたデータファイルの管理方法の採用は難しい。
【０００３】
このため、従来は、複雑な指示を受け付けることが可能なマンマシンインタフェースを搭載することで、機器が大型化してしまったり、あるいは効率的なデータファイルの管理が行えないという問題があった。
【特許文献１】特開平０６−００４５７６公報。
【発明の開示】
【発明が解決しようとする課題】
【０００４】
従来の表示記憶装置では、複雑な指示を受け付けることが可能なマンマシンインタフェースを搭載することで、機器が大型化してしまったり、あるいは効率的なデータファイルの管理が行えないという問題があった。
【０００５】
この発明は上記の問題を解決すべくなされたもので、複雑な指示を受け付けることが可能なマンマシンインタフェースを搭載しなくても、効率的なデータファイルの管理が可能な表示記憶装置を提供することを目的とする。
【課題を解決するための手段】
【０００６】
上記の目的を達成するために、この発明は、データを記憶する記憶手段と、ユーザから対象データについての分類情報の入力を受け付ける第１受付手段と、この第１受付手段が受け付けた分類情報に基づくファイル名を生成し、このファイル名を対象データのファイル名として付与して記憶手段に記録する保存手段と、情報を表示する表示手段と、ユーザから分類情報の入力を受け付ける第２受付手段と、この第２受付手段が受け付けた分類情報に該当するファイル名を有するデータを記憶手段から読み出して、表示手段に表示させる表示制御手段とを具備して構成するようにした。
【発明の効果】
【０００７】
以上述べたように、この発明では、ユーザから対象データについての分類情報の入力を受け付けて、この受け付けた分類情報に基づくファイル名を生成し、このファイル名を対象データのファイル名として付与して記憶手段に記録し、ユーザから分類情報の入力を受け付けると、この受け付けた分類情報に該当するファイル名を有するデータを記憶手段から読み出して、表示手段に表示させるようにしている。
【０００８】
したがって、この発明によれば、複雑な指示を受け付けることが可能なマンマシンインタフェースを搭載しなくても、分類情報を指定するだけで、対象データの保存や表示が行えるので、効率的なデータファイルの管理が可能な表示記憶装置を提供できる。
【発明を実施するための最良の形態】
【０００９】
以下、図面を参照して、この発明の一実施形態について説明する。  
図１は、この発明の一実施形態に係わる表示記憶装置１００の外観を示す図である。この図に示すように、表示記憶装置１００は、筐体の側面に表示部１０１を備え、その表面にタッチ式入力部１０２が載置される。タッチ式入力部１０２は、表示部１０１に表示される情報が視認できるように、例えば透過型のタッチパネルを用い、ユーザがスタイラス（尖筆）１０２１を用いて、タッチ式入力部１０２上で筆記することにより入力が行われる。
【００１０】
キー入力部１０３は、複数のキースイッチからなり、各キーには、選択キー１０３ａ、１０３ｂと、登録キー１０３ｃと、削除キー１０３ｄが割り当てられている。外部インタフェース１０４は、例えばＵＳＢ（Universal Serial Bus）などのデータ入出力用のインタフェースであって、筐体の長手方向端部に設けられ、着脱式の端子保護カバー１０４１によって保護される。
【００１１】
図２は、上記表示記憶装置１００の回路ブロック図を示すものである。この図に示すように、表示記憶装置１００は、表示部１０１と、タッチ式入力部１０２と、キー入力部１０３と、外部インタフェース１０４と、記憶部１０５と、電源部１０６と、制御部１１０とを備える。
【００１２】
表示部１０１は、例えばLCD(Liquid Crystal Display)などを用いた表示装置であって、上述したようにその表面上にタッチ式入力部１０２が載置され、制御部１１０によって表示制御が行われる。  
タッチ式入力部１０２は、上述したように、例えば透過型のタッチパネルであって、スタイラス１０２１などを用いたユーザにより押圧された位置を検出し、これを制御部１１０に通知する。
【００１３】
キー入力部１０３は、図１に示したように、選択キー１０３ａ、１０３ｂと、登録キー１０３ｃと、削除キー１０３ｄを備え、各キーに対応づけられたスイッチがユーザの指示を検出するものである。  
外部インタフェース１０４は、上述したように、例えばＵＳＢなどのデータ入出力用のインタフェースであって、制御部１１０の制御により、これを通じてデータの入出力が行われる。
【００１４】
記憶部１０５は、例えばNAND型のフラッシュメモリであって、制御部１１０によってデータの記録と読み出しが行われる。  
電源部１０６は、バッテリを備え、当該表示記憶装置１００の各部に動作用の電力を供給するものである。
【００１５】
制御部１１０は、CPU(Central Processing Unit)などのマイクロプロセッサを備え、当該表示記憶装置１００の各部を統括して制御するものであって、例えばタッチ式入力部１０２によって時々刻々と検出される座標（位置情報）を一連の軌跡として認識して、この軌跡を画像データに変換する機能や、この画像データを記憶部１０５に記録する機能、表示部１０１にソフトウェアキーを表示して、このソフトウェアキーに対するユーザ操作をタッチ式入力部１０２を通じて受け付ける機能、タッチ式入力部１０２やキー入力部１０３を通じたユーザからの指示にしたがって、記憶部１０５に記録された画像データに基づく画像を表示部１０１に表示する機能などを備える。
【００１６】
制御部１１０の制御により、表示部１０１に表示される情報の一例を図３に示す。この図において、２０１は、大分類選択ボタンを示すソフトウェアキーであり、このボタンをスタイラス１０２１で押下すると、大分類が「英数字」、「ひらがな」、「記号」の順で繰り返され、選択されている大分類が表示される。すなわち、大分類が「英数字」の場合には「Ａ」と表示し、「ひらがな」の場合には「あ」と表示し、「記号」の場合には「記号」と表示する。
【００１７】
２０２は、大分類選択ボタン２０１で選択されている大分類に属する小分類のうち、後述するスライドポインタ２０４の位置に応じた小分類を示す表示領域である。図３に示す例では、大分類選択ボタン２０１で大分類として「英数字」が選択され、そのうち小分類としてＡ，Ｂ，…，Ｚ，０，１，…，９とあるうち、小分類Ａが選択された状態を示している。
【００１８】
左移動ボタン２０３ａは、スライドポインタ２０４を左方向に移動させるソフトウェアキーであって、このボタンをスタイラス１０２１で１回押下すると、小分類１項目分だけ、スライドポインタ２０４が左方向に移動する。同様に、右移動ボタン２０３ｂは、スライドポインタ２０４を右方向に移動させるソフトウェアキーであって、このボタンをスタイラス１０２１で１回押下すると、小分類１項目分だけ、スライドポインタ２０４が右方向に移動する。
【００１９】
スライドポインタ２０４は、スライドライン２０５の範囲で移動が可能なソフトウェアキーであって、小分類を選択するためのキーであり、このポインタをスタイラス１０２１で押下した状態でスライドライン２０５に沿って移動させると、それに追随して表示位置が移動する。また上述したように、左移動ボタン２０３ａや右移動ボタン２０３ｂに操作が加えられると、小分類１項目分だけ、スライドライン２０５上を移動する。そしてまた、スライドライン２０５の位置に応じた小分類が小分類表示域２０２に表示される。
【００２０】
入力表示領域２０６は、スタイラス１０２１を用いてユーザが任意の軌跡を描くための領域であり、ここに描かれた軌跡は、タッチ式入力部１０２によって座標が検出され、これに基づいて制御部１１０が上記軌跡を表示部１０１の入力表示領域２０６に表示する。
【００２１】
次に、図４および図５を参照して、上記構成の表示記憶装置１００の動作について説明する。まず図４を参照して、表示記憶装置１００が登録モードで動作する場合について説明する。図４は、表示記憶装置１００が登録モードで動作する際の制御部１１０の制御フローを示すフローチャートであって、登録キー１０３ｃを長押しすると、これを検出した制御部１１０によって開始される。
【００２２】
まずステップ４ａにおいて制御部１１０は、ユーザがタッチ式入力部１０２を通じて入力する文字や図形を検出し、これを画像データに変換して記憶部１０５に一時的に記憶し、ステップ４ｂに移行する。より具体的には、例えば図３に示したように、ユーザがスタイラス１０２１などを用いてタッチ式入力部１０２の入力表示領域２０６に文字や図形などを描画すると、入力された文字や図形などの軌跡の座標データ（位置情報）をタッチ式入力部１０２が時々刻々と検出して、これを制御部１１０に逐次通知する。このようにして通知された座標データに基づく軌跡を、制御部１１０が画像データとして記憶部１０５に一時的に記録する。また制御部１１０は、入力された軌跡を表示部１０１に表示する。
【００２３】
ステップ４ｂにおいて制御部１１０は、ユーザ操作を検出し、検出した操作が、大分類選択ボタン２０１に対する操作、スライドポインタ２０４の移動に関わる操作、あるいは登録キー１０３ｃに対する操作のうち、いずれかであるか否かを判定する。ここで、いずれかの操作が行われた場合には、ステップ４ｃに移行し、一方、いずれの操作も行われない場合には、ステップ４ｌに移行する。
【００２４】
ステップ４ｃにおいて制御部１１０は、ステップ４ｂで検出した操作が、大分類選択ボタン２０１に対する操作の場合には、ステップ４ｄに移行し、スライドポインタ２０４の移動に関わる操作（左移動ボタン２０３ａや右移動ボタン２０３ｂに対する操作、スライドポインタ２０４に対するドラッグ操作）の場合には、ステップ４ｇに移行し、登録キー１０３ｃに対する操作の場合には、ステップ４ｊに移行する。
【００２５】
ステップ４ｄにおいて制御部１１０は、大分類の項目を、現在選択されている項目に代わって次順の項目を選択し、これに伴い表示部１０１を制御して、大分類選択ボタン２０１を移行させた項目の表示に切り替え、ステップ４ｅに移行する。例えば、ステップ４ｄに移行した時点で選択されている大分類の項目が「英数字」の場合には、次順の項目「ひらがな」に移行させ、ステップ４ｄに移行した時点の項目が「ひらがな」の場合には、次順の項目「記号」に移行させる。またステップ４ｄに移行した時点の項目が「記号」の場合には、次順の項目「英数字」に移行させる。
【００２６】
ステップ４ｅにおいて制御部１１０は、ステップ４ｄで新たに選択した大分類項目の先頭の小分類項目を選択し、これを小分類表示域２０２に表示させるように表示部１０１を制御し、ステップ４ｆに移行する。すなわち、新たに選択した大分類項目が「英数字」の場合には、先頭の小分類項目「Ａ」を選択してを小分類表示域２０２に表示させる。同様に、新たに選択した大分類項目が「ひらがな」の場合には、先頭の小分類項目「あ」を選択してを小分類表示域２０２に表示させる。また、新たに選択した大分類項目が「記号」の場合には、先頭の小分類項目「！」を選択してを小分類表示域２０２に表示させる。
【００２７】
ステップ４ｆにおいて制御部１１０は、スライドポインタ２０４をスライドライン２０５の先頭位置、すなわち左端（小分類項目の先頭位置に対応）に表示させ、ステップ４ｌに移行する。
【００２８】
一方、ステップ４ｇにおいて制御部１１０は、スライドポインタ２０４を、現在の表示位置から、ステップ４ｂで検出した操作に応じた位置に移動させるように表示部１０１を制御し、ステップ４ｈに移行する。
【００２９】
ステップ４ｈにおいて制御部１１０は、スライドポインタ２０４の現在の表示位置を検出し、ステップ４ｉに移行する。  
ステップ４ｉにおいて制御部１１０は、現在選択している大分類の項目に基づいて、ステップ４ｈで検出したスライドポインタ２０４の表示位置に対応する小分類項目を検出し、この検出した小分類項目を小分類表示域２０２に表示させるように表示部１０１を制御し、ステップ４ｌに移行する。
【００３０】
一方、ステップ４ｊにおいて制御部１１０は、現在選択している大分類の項目と、現在選択している小分類の項目とに基づいて、これらの情報を含むファイル名「X-YY-ZZZZZZZ」を生成し、ステップ４ｋに移行する。
【００３１】
なお、ステップ４ｊにおけるファイル名の生成アルゴリズムは、以下の通りである。すなわち、ステップ４ｊで生成されるファイル名「X-YY-ZZZZZZZ」のうち、先頭の「X」は、大分類の項目を示すもので、例えば予め「英数字」は「0」、「ひらがな」は「1」、「記号」は「2」とする。また間の「YY」は、小分類の項目を示すもので例えば大分類が「英数字」の場合には、「0」が「A」を示し、以降順次割り当てて「25」が「Z」を示す。他の大分類の項目についても同様に割り当てる。また最後の「ZZZZZZZ」はファイルの生成順に付けられるインデックスナンバーである。したがって、大分類として「ひらがな」が選択され、小分類として「か」が選択された場合に、１００番目に生成されたファイルであれば、ファイル名は「1-06-0000100」となる。
【００３２】
ステップ４ｋにおいて制御部１１０は、ステップ４ａで一時的に記憶部１０５に記憶していた画像データに、ステップ４ｊで生成したファイル名を付与して保存し、ステップ４ｌに移行する。
【００３３】
ステップ４ｌにおいて制御部１１０は、登録キー１０３ｃを長押しするなど、登録モードを終了する旨の意思表示がユーザからあったか否かを判定する。ここで、ユーザが登録キー１０３ｃを所定時間以上長押しした場合には、当該処理を終了し、一方、長押ししない場合には、ステップ４ａに移行して、必要に応じてユーザから描画入力を受け付ける。
【００３４】
次に、図５を参照して、表示記憶装置１００が表示モードで動作する場合について説明する。図５は、表示記憶装置１００が表示モードで動作する際の制御部１１０の制御フローを示すフローチャートであって、いずれかのキーを操作したり、タッチ式入力部１０２を触れるなどすると、これを検出した制御部１１０によって開始される。
【００３５】
まずステップ５ａにおいて制御部１１０は、記憶部１０５が記憶する画像データに付与されたファイル名「X-YY-ZZZZZZZ」を参照し、まず大分類の項目を示す「X」が最も小さく、そして小分類の項目「YY」が最も小さく、さらにインデックスナンバー「ZZZZZZZ」が最も小さい画像データを記憶部１０５から読み出し、このデータに基づく画像を表示部１０１に表示する。
【００３６】
また制御部１１０は、表示部１０１を制御して、記憶部１０５から読み出した画像データのファイル名「X-YY-ZZZZZZZ」に基づいて、上記大分類選択ボタン２０１には「X」に対応する大分類項目を示す表示を行い、小分類表示域２０２には「YY」の小分類項目を示す表示を行う。またスライドポインタ２０４をスライドライン２０５上の「YY」に相当する位置に表示し、ステップ５ｂに移行する。
【００３７】
ステップ５ｂにおいて制御部１１０は、ユーザ操作を検出し、検出した操作が、大分類選択ボタン２０１に対する操作、スライドポインタ２０４の移動に関わる操作、登録キー１０３ｃに対する操作、あるいは削除キー１０３ｄに対する操作のうち、いずれかであるか否かを判定する。ここで、いずれかの操作が行われた場合には、ステップ５ｃに移行し、一方、いずれの操作も行われない場合には、ステップ５ｐに移行する。
【００３８】
ステップ５ｃにおいて制御部１１０は、ステップ５ｂで検出した操作が、大分類選択ボタン２０１に対する操作の場合には、ステップ５ｄに移行し、スライドポインタ２０４の移動に関わる操作（左移動ボタン２０３ａや右移動ボタン２０３ｂに対する操作、スライドポインタ２０４に対するドラッグ操作）の場合には、ステップ５ｈに移行し、選択キー１０３ａや１０３ｂに対する操作の場合には、ステップ５ｌに移行し、そして削除キー１０３ｄに対する操作の場合には、ステップ５ｏに移行する。
【００３９】
ステップ５ｄにおいて制御部１１０は、大分類の項目を、現在選択されている項目に代わって次順の項目を選択し、これに伴い表示部１０１を制御して、大分類選択ボタン２０１を移行させた項目の表示に切り替え、ステップ５ｅに移行する。例えば、ステップ５ｄに移行した時点で選択されている大分類の項目が「英数字」の場合には、次順の項目「ひらがな」に移行させ、ステップ５ｄに移行した時点の項目が「ひらがな」の場合には、次順の項目「記号」に移行させる。またステップ５ｄに移行した時点の項目が「記号」の場合には、次順の項目「英数字」に移行させる。
【００４０】
ステップ５ｅにおいて制御部１１０は、記憶部１０５が記憶する画像データのファイル名「X-YY-ZZZZZZZ」を参照し、そのうち、ステップ５ｄで新たに選択した大分類項目で小分類項目「YY」が最も若い値を検出し、これに対応する小分類項目を小分類表示域２０２に表示させるように表示部１０１を制御し、ステップ５ｆに移行する。例えば、新たに選択した大分類項目が「ひらがな」で、記憶部１０５が記憶する画像データのうち、ファイル名「1-04-ZZZZZZZ」が最も若い値の場合には、小分類表示域２０２に「お」を表示させる。
【００４１】
ステップ５ｆにおいて制御部１１０は、スライドポインタ２０４をスライドライン２０５上の、ステップ５ｅで検出した「YY」値に対応する位置に表示させ、ステップ５ｊに移行する。
【００４２】
一方、ステップ５ｇにおいて制御部１１０は、スライドポインタ２０４を、現在の表示位置から、ステップ５ｂで検出した操作に応じた位置に移動させるように表示部１０１を制御し、ステップ５ｈに移行する。
【００４３】
ステップ５ｈにおいて制御部１１０は、スライドポインタ２０４の現在の表示位置を検出し、これに対応する小分類項目の「YY」値を検出し、ステップ５ｉに移行する。  
ステップ５ｉにおいて制御部１１０は、ステップ５ｈで検出した小分類項目の「YY」値に対応する小分類項目を、小分類表示域２０２に表示させるように表示部１０１を制御し、ステップ５ｊに移行する。
【００４４】
ステップ５ｊにおいて制御部１１０は、記憶部１０５が記憶する画像データのファイル名「X-YY-ZZZZZZZ」を参照し、そのうち、現在選択している大分類の項目の「X」値で、かつステップ５ｈで検出した小分類項目の「YY」値をファイル名として含み、そのうち最も若いインデックスナンバーの画像データを検出し、この検出した画像データを入力表示領域２０６に表示させるように表示部１０１を制御し、ステップ５ｐに移行する。
【００４５】
一方、ステップ５ｋにおいて制御部１１０は、ステップ５ｂで検出した操作が選択キー１０３ａに対するものであった場合、現在表示している画像データのファイル名に基づいて、この画像データの前順の画像データを記憶部１０５から読み出し、これを入力表示領域２０６に表示させるように表示部１０１を制御し、ステップ５ｌに移行する。またステップ５ｂで検出した操作が選択キー１０３ｂに対するものであった場合、現在表示している画像データのファイル名に基づいて、この画像データの次順の画像データを記憶部１０５から読み出し、これを入力表示領域２０６に表示させるように表示部１０１を制御し、ステップ５ｌに移行する。
【００４６】
ステップ５ｌにおいて制御部１１０は、現在表示している画像データのファイル名「X-YY-ZZZZZZZ」を参照して小分類項目の「YY」値を検出し、この値に対応する小分類項目を小分類表示域２０２に表示させるように表示部１０１を制御し、ステップ５ｍに移行する。
【００４７】
ステップ５ｍにおいて制御部１１０は、スライドポインタ２０４をスライドライン２０５上の、ステップ５ｌで検出した「YY」値に対応する位置に表示させ、ステップ５ｐに移行する。
【００４８】
一方、ステップ５ｎにおいて制御部１１０は、現在表示している画像データのファイル名「X-YY-ZZZZZZZ」を検出し、この画像データを記憶部１０５から削除して、ステップ５ｏに移行する。
【００４９】
ステップ５ｏにおいて制御部１１０は、ステップ５ｎで削除した画像データのファイル名に基づいて、この画像データの次順の画像データを記憶部１０５から読み出し、これを入力表示領域２０６に表示させるように表示部１０１を制御し、ステップ５ｌに移行する。
【００５０】
ステップ５ｐにおいて制御部１１０は、タッチ式入力部１０２から編集入力の検出の通知があったか否かを判定する。ここで、タッチ式入力部１０２から編集入力の検出通知があった場合には、ステップ５ｑに移行し、一方、上記検出通知がない場合には、ステップ５ｒに移行する。なお、ここでタッチ式入力部１０２は、ユーザがスタイラス１０２１などを用いて、入力表示領域２０６に対して入力操作を行ったことを検出すると、この旨を制御部１１０に通知する。
【００５１】
ステップ５ｑにおいて制御部１１０は、既に表示している画像に対する加筆入力などの編集操作を受け付け、図４のステップ４ｂに移行する。  
ステップ５ｒにおいて制御部１１０は、削除キー１０３ｄを長押しするなど、表示モードを終了する旨の意思表示がユーザからあったか否かを判定する。ここで、ユーザが削除キー１０３ｄを所定時間以上長押しした場合には、当該処理を終了し、一方、長押ししない場合には、ステップ５ｂに移行して、必要に応じてユーザから表示画像の選択操作を受け付ける。
【００５２】
以上のように、上記構成の表示記憶装置では、ユーザは描画入力を行った後、大分類や小分類を指定すると、これに基づくファイル名を自動的に付与して、描画入力された情報を画像データとして保存し、また保存した画像データを表示させる場合には、ボタン操作により大分類を指定し、スライドポインタ２０４をスライド移動させて小分類を指定することで、対応する画像データを表示するようにしている。
【００５３】
したがって、上記構成の表示記憶装置によれば、従来のように目的の画像データを探し出した後、さらに開くための操作を行わなくても、目的の画像データが属する分類を指定するだけで目的の画像データが表示されるので、ファイルやフォルダという概念をユーザが認識する必要が無く、複雑な指示を受け付けることが可能なマンマシンインタフェースを搭載しなくても、効率的なデータファイルの管理を行うことができる。
【００５４】
また目的の画像データが属する分類に、他の画像データが存在するような場合でも、選択キー１０３ａ、１０３ｂの操作により表示する画像データを切り替えることができるので、従来のように対象となる画像データを改めて選択し、それを開くための操作を行わなくてもよいため、ユーザの操作性が高い。
【００５５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５６】
その一例として例えば、上記実施の形態では、描画入力した画像を保存する保存機能と、保存しておいた画像を表示する表示機能とを備えた表示記憶装置を例示したが、表示機能のみを備えた装置にも広く適用できる。例えば、ディジタルカメラ、画像ビューア、電子メモ、電子単語帳、電子辞書など、予め画像データを記憶する電子機器に適用することができる。
【００５７】
また上記実施の形態では、表示部１０１上にタッチ式入力部１０２が垂直方向に重なる構造を示したが、必ずしもこのような構造でなくてもよい。すなわち、表示部１０１上にタッチ式入力部１０２が重ならずに、別の位置に設けられていてもよい。  
その他、この発明の要旨を逸脱しない範囲で種々の変形を施しても同様に実施可能であることはいうまでもない。
【図面の簡単な説明】
【００５８】
【図１】この発明に係わる表示記憶装置の一実施形態の構成を示す外観図。
【図２】図１に示した表示記憶装置の回路ブロック図。
【図３】図１に示した表示記憶装置の表示部の表示例を示す図。
【図４】図１に示した表示記憶装置の登録モードの動作を説明するためのフローチャート。
【図５】図１に示した表示記憶装置の表示モードの動作を説明するためのフローチャート。
【符号の説明】
【００５９】
１００…表示記憶装置、１０１…表示部、１０２…タッチ式入力部、１０２１…スタイラス、１０３…キー入力部、１０３ａ…選択キー、１０３ｂ…選択キー、１０３ｃ…登録キー、１０３ｄ…削除キー、１０４…外部インタフェース、１０４１…端子保護カバー、１０５…記憶部、１０６…電源部、１１０…制御部、２０１…大分類選択ボタン、２０２…小分類表示域、２０３ａ…左移動ボタン、２０３ｂ…右移動ボタン、２０４…スライドポインタ、２０５…スライドライン、２０６…入力表示領域。
【図１】
2008243040.tif 000003
【図２】
2008243040.tif 000004
【図３】
2008243040.tif 000005
【図４】
2008243040.tif 000006
【図５】
2008243040.tif 000007